(57)【特許請求の範囲】
【請求項１】
複数の子機との間で無線通信が可能な親機と、通信回線を介して上記親機と接続される情報処理装置とを含む通信システムにおいて、
上記情報処理装置は、
子機が上記親機へ無線接続するためのパラメータを設定する設定手段と、
上記設定手段により設定されたパラメータを、上記通信回線を介して上記親機に送信する第１の送信手段と、
登録の開始を、上記通信回線を介して上記親機に通知する通知手段と、
を有し、
上記親機は、
上記通知手段により登録の開始を通知された場合に、子機との間で上記パラメータを通信するためのシーケンスの実行が可能であることを示す報知信号を送信する報知手段と、
上記報知信号を受信し、かつ操作者により登録開始の操作が行われた子機との間で上記シーケンスを開始する開始手段と、
上記シーケンスにおいて、上記第１の送信手段により上記情報処理装置から送信されたパラメータを上記子機へ送信する第２の送信手段と、
を有することを特徴とする通信システム。
【請求項２】
請求項１において、
上記設定手段は、子機が上記親機へ無線接続するためのパラメータを編集して設定する手段であることを特徴とする通信システム。
【請求項３】
請求項１又は２において、
上記シーケンスは、上記親機によって指定される通信チャネルで開始されることを特徴とする通信システム。
【請求項４】
請求項１から３のいずれか１項において、
上記パラメータは、暗証番号と子機の識別番号とを含むことを特徴とする通信システム。
【請求項５】
請求項１から４のいずれか１項において、
上記シーケンスにおいては、上記パラメータの照合が行われることを特徴とする通信システム。
【請求項６】
請求項１から５のいずれか１項において、
上記通知手段は、上記設定手段によるパラメータの設定の完了に応じて、登録の開始を通知することを特徴とする通信システム。
【請求項７】
請求項１から５のいずれか１項において、
上記通知手段は、上記情報処理装置への操作者による登録開始の操作に応じて、登録の開始を通知することを特徴とする通信システム。
【請求項８】
請求項１から７のいずれか１項において、
上記設定手段により設定され、上記第１の送信手段により送信されるパラメータは、複数の子機が夫々親機と無線接続するためのパラメータであり、
上記親機は、上記複数の子機との間で順に上記シーケンスを実行することを特徴とする通信システム。
【請求項９】
請求項８において、
上記親機は、上記複数の子機全てとの間で上記シーケンスが終了した際に、登録の終了を上記情報処理装置に通知することを特徴とする通信システム。
【請求項１０】
請求項８において、
上記親機は、１台の子機との間で上記シーケンスが終了する毎に、登録の終了を上記情報処理装置に通知することを特徴とする通信システム。
【請求項１１】
請求項９において、
上記情報処理装置は、上記親機から登録の終了が通知されると、上記通知手段により登録の開始を通知することを特徴とする通信システム。
【請求項１２】
請求項１から１１のいずれか１項において、
上記子機は、上記シーケンスの終了に応じて、登録の終了を表示部に表示することを特徴とする通信システム。
【発明の詳細な説明】
【０００１】
【発明の属する技術分野】
本発明は、複数の子機との間で無線通信が可能な親機と、通信回線を介して上記親機と接続される情報処理装置とを含む通信システムに関する。
【０００２】
【従来の技術】
親機と子機とによって構成されているコードレス電話装置には、子機を親機に接続できるようにするために、子機登録を行わなければならないものがある。
【０００３】
たとえばＰＨＳ（Ｐｅｒｓｏｎａｌ  Ｈａｎｄｙ  Ｐｈｏｎｅ  Ｓｙｓｔｅｍ：第２世代コードレス電話システム）では、移動局を公衆の基地局に接続する移動電話機として使用する公衆モードと、コードレス電話装置の親機に接続する子機として使用する自営モード・家庭モードとが存在し、コードレス電話機の子機として使用する場合は、親機に子機登録を行わなければならない。
【０００４】
次に、ＰＨＳにおける従来の子機登録方法について説明する。
【０００５】
図７は、ＰＨＳにおいて、親機１０と子機２１との間における従来のメッセージ送受信シーケンスの例を示す図である。
【０００６】
子機登録を行う場合、操作者は、登録パラメータを、親機と子機とに入力してから、登録を開始する。登録パラメータとしては、たとえば暗証番号や子機の内線番号等である。暗証番号は、親機と子機とに同じものを入力し、意図しない子機の登録を防止するために使用される。登録の開始が入力された親機１０は、登録用の報知信号（Ｍ２０７）を送信する。登録用の報知信号（Ｍ２０７）を受信した子機２１は、「リンクチャネル確立要求メッセージ」（Ｍ２０８）を送信し、親機１０から「リンクチャネル割当メッセージ」（Ｍ２０９）を受信すると、「リンクチャネル割当メッセージ」（Ｍ２０９）で指定される通話チャネルに移行し、子機登録シーケンスを開始する。
【０００７】
子機２１から「リンクチャネル確立要求メッセージ」（Ｍ２０８）を受信した親機１０は、通話チャネルを指定した「リンクチャネル割当メッセージ」（Ｍ２０９）を、子機に送信し、通話チャネルに移行し、子機登録シーケンスを開始する。子機登録シーケンスでは、登録パラメータの送受信と照合とを行う。親機１０と子機２１とは、子機登録シーケンスが終了すると、表示器に登録終了を表示する。
【０００８】
コードレス電話装置の親機には、電話機やファクシミリの機能を有しているものが多く、これらの機能を実現するために、ダイヤルボタンや機能ボタン等の入力手段や、ダイヤルを確認するための液晶表示器等の表示手段を備えている。通常の親機では、上記入力手段を用いて登録パラメータを入力する。
【０００９】
ＰＨＳ（Ｐｅｒｓｏｎａ１  Ｈａｎｄｙ  ｐｈｏｎｅ  Ｓｙｓｔｅｍ：第２世代コードレス電話システム）等では、音声だけでなくデータ通信も行うことができるので、データ通信する子機専用の親機も存在するが、これらの親機は、電話機能やファクシミリ機能を有しないので、ダイヤルボタン等の入力手段がないものが多い。
【００１０】
これらの親機において、子機登録を行う場合、親機に用意されている設定用のスイッチを組み合わせて、登録パラメータを入力するか、または、親機に設けられているシリアルインタフェースにパソコン等を接続し、この接続されたパソコンから、子機登録用パラメータを入力する。
【００１１】
【発明が解決しようとする課題】
上記従来例では、親機に用意されている設定用のスイッチを組み合わせて登録パラメータを入力する場合、設定用のスイッチは、ディップスイッチであることが多く、このディップスイッチを用いて暗証番号や子機の内線番号を入力し、子機登録する操作が複雑であり、したがって、子機登録することが困難であるという問題がある。
【００１２】
また、上記従来例では、親機に備えられているシリアルインタフェースにパソコン等を接続し、このパソコンから、登録パラメータを入力し、子機登録する場合、子機登録に際して、パソコン等の入力装置を別途、用意しなければならないという問題がある。近年では、サービスセンタに電話回線をひき、コンピュータを接続し、そこで電話回線に接続されている製品を遠隔保守している。
【００１３】
本発明は、親機と子機との間で無線接続を行うためのパラメータの設定を、通信回線を介して親機と接続された情報処理装置を用いることにより容易に行えるようにすることを目的とするものである。
【００１４】
【課題を解決するための手段】
本発明は、複数の子機との間で無線通信が可能な親機と、通信回線を介して上記親機と接続される情報処理装置とを含む通信システムにおいて、上記情報処理装置は、子機が上記親機へ無線接続するためのパラメータを設定する設定手段と、上記設定手段により設定されたパラメータを、上記通信回線を介して上記親機に送信する第１の送信手段と、登録の開始を、上記通信回線を介して上記親機に通知する通知手段とを有し、上記親機は、上記通知手段により登録の開始を通知された場合に、子機との間で上記パラメータを通信するためのシーケンスの実行が可能であることを示す報知信号を送信する報知手段と、上記報知信号を受信し、かつ操作者により登録開始の操作が行われた子機との間で上記シーケンスを開始する開始手段と、上記シーケンスにおいて、上記第１の送信手段により上記情報処理装置から送信されたパラメータを上記子機へ送信する第２の送信手段とを有することを特徴とする。
【００１５】
【発明の実施の形態および実施例】
［第１の実施例］
図１は、本発明の第１の実施例であるコードレス電話装置における子機登録システム１００を示す構成図である。
【００１６】
コードレス電話装置における子機登録システム１００は、コードレス電話装置の親機１０と、コードレス電話装置の子機２１、２２、２３と、電話回線網３０と、サービスセンタ４０とを有する。
【００１７】
サービスセンタ４０は、登録データ作成装置の一例であり、ターミナルアダプタ４１と、保守用コンピュータ４２とによって構成され、コードレス電話装置の保守を行うものである。
【００１８】
ターミナルアダプタ４１は、保守用コンピュータ４２を電話回線網３０に接続するターミナルアダプタである。
【００１９】
保守用コンピュータ４２は、コードレス電話装置の保守を行ったり、登録パラメータを設定し、編集する保守用コンピュータである。
【００２０】
上記実施例では、サービスセンタ４０にひかれている電話回線がＩＳＤＮ回線である場合を想定しているので、ターミナルアダプタ４１を用いているが、電話回線がアナログ回線の場合は、モデムを用いる。
【００２１】
次に、上記実施例の動作について説明する。
【００２２】
図２は、コードレス電話装置における子機登録システム１００において、登録データ作成装置としてのサービスセンター４０と、親機１０、子機２１、２２、２３との間におけるメッセージ送受信のシーケンスを示す図である。
【００２３】
子機登録を行う場合、保守用コンピュータ４２が、登録パラメータを設定し、編集する。
【００２４】
図２において、保守用コンピュータの編集画面５１が示され、保守用コンピュータの編集画面５１を使用して、子機の内線番号と暗証番号とを編集する。登録パラメータの設定・編集が終わると、保守用コンピュータ４２は、ターミナルアダプタ４１に、親機１０への着信を要求する。着信を要求されたターミナルアダプタ４１は、電話回線網３０を介して、親機１０に着信（Ｍ２０１）を行う。着信を検出した親機１０は、電話回線網３０を介して、ターミナルアダプタ４１に応答する（Ｍ２０２）。応答を検出したターミナルアダプタ４１は、保守用コンピュータ４２に応答を通知し、親機１０と保守用コンピュータ４２との間でデータ通信できるモードヘ移行する。
【００２５】
応答を通知された保守用コンピュータ４２は、設定された全ての子機に対する登録パラメータを含んだ「登録パラメータ通知メッセージ」（Ｍ２０３）を、親機１０に送信し、「登録開始メッセージ」（Ｍ２０４）を、親機１０に送信する。「登録パラメータ通知メッセージ」（Ｍ２０３）と「登録開始メッセージ」（Ｍ２０４）とを受信した親機１０は、登録用の報知信号（Ｍ２０７）を送信する。
【００２６】
これと同時に、子機２１の操作者は、内線番号と暗証番号とについて、入力と登録との開始の入力を、子機２１に行う。登録用の報知信号（Ｍ２０７）を受信した子機２１では、「リンクチャネル確立要求メッセージ」（Ｍ２０８）を送信し、親機１０から「リンクチャネル割当メッセージ」（Ｍ２０９）を受信すると、「リンクチャネル割当メッセージ」（Ｍ２０９）で指定される通話チャネルに移行し、子機登録シーケンスを開始する。
【００２７】
子機２１から「リンクチャネル確立要求メッセージ」（Ｍ２０８）を受信した親機１０は、子機に通話チャネルを指定した「リンクチャネル割当メッセージ」（Ｍ２０９）を送信し、通話チャネルに移行し、子機登録シーケンスを開始する。
【００２８】
子機登録シーケンスは、登録パラメータの送受信と照合とを行う。子機２１では、子機登録シーケンスが終了すると、子機２１の表示器に登録終了を表示する。親機１０は、子機登録シーケンスが終了すると、再び登録用の報知信号を送信し、次の子機の登録を開始する。
【００２９】
以上の動作を、登録子機数だけ繰り返し、全ての子機の登録が終了すると、親機１０は、保守用コンピュータ４２に、「登録終了メッセージ」（Ｍ２０５）を送信する。
【００３０】
「登録終了メッセージ」（Ｍ２０５）を受信した保守用コンピュータは、ターミナルアダプタ４１に回線の切断を要求する。回線の切断を要求されたターミナルアダプタ４１は、親機１０との回線を切断する（Ｍ２０６）。
【００３１】
第１の実施例によれば、サービスセンタ４０で登録パラメータの編集と設定とを行うことによって、入力手段のない親機１０でも、子機登録を簡単に行うことができる。
【００３２】
また、複数の子機の登録パラメータも、保守用コンピュータで簡単に設定と編集とを実行することができ、登録の簡単化と時間の短縮化とを実現することができる。
【００３３】
［第２の実施例］
図３は、本発明の第２の実施例であるコードレス電話装置における子機登録システムを動作させた場合に、サービスセンタ４０と親機１０、子機２２との間におけるメッセージ送受信のシーケンスを示す図である。
【００３４】
なお、第２の実施例であるコードレス電話装置における子機登録システムの構成は、コードレス電話装置における子機登録システム１００の構成と同様である。
【００３５】
第２の実施例において、子機登録を行う場合、保守用コンピュータ４２によって登録パラメータの設定と編集とを行う。
【００３６】
保守用コンピュータの編集画面５１を使用して、子機の内線番号と暗証番号とを編集する。登録パラメータの設定・編集が終わり、操作者が子機２登録開始を入力した場合、保守用コンピュータ４２は、親機１０への着信を、ターミナルアダプタ４１に要求する。着信を要求されたターミナルアダプタ４１は、電話回線網３０を介して、親機１０に着信（Ｍ２０１）を行う。
【００３７】
着信を検出した親機１０は、電話回線網３０を介して、ターミナルアダプタ４１に応答する（Ｍ２０２）。応答を検出したターミナルアダプタ４１は、保守用コンピュータ４２に応答を通知し、親機１０と保守用コンピュータ４２との間でデータ通信できるモードへ移行する。応答を通知された保守用コンピュータ４２は、設定された子機２２の登録パラメータを含んだ「登録開始メッセージ」（Ｍ２０４）を、親機１０に送信する。
【００３８】
「登録開始メッセージ」（Ｍ２０４）を受信した親機１０は、登録用の報知信号（Ｍ２０７）を送信する。これと同時に、子機２２の操作者は、内線番号と暗証番号とについて、入力と登録とを開始する入力を、子機２２に行う。登録用の報知信号（Ｍ２０７）を受信した子機２２は、「リンクチャネル確立要求メッセージ」（Ｍ２０８）を送信し、親機１０から「リンクチャネル割当メッセージ」（Ｍ２０９）を受信すると、「リンクチャネル割当メッセージ」（Ｍ２０９）で指定される通話チャネルに移行し、子機登録シーケンスを開始する。
【００３９】
子機２２から「リンクチャネル確立要求メッセージ」（Ｍ２０８）を受信した親機１０は、子機に通話チャネルを指定した「リンクチャネル割当メッセージ」（Ｍ２０９）を送信し、通話チャネルに移行し、子機登録シーケンスを開始する。子機登録シーケンスでは、登録パラメータの送受信と照合とを行う。子機２２は、子機登録シーケンスが終了すると、子機２２の表示器に登録終了を表示する。親機１０は、子機登録シーケンスが終了すると、保守用コンピュータ４２に「登録終了メッセージ」（Ｍ２０５）を送信する。
【００４０】
「登録終了メッセージ」（Ｍ２０５）を受信した保守用コンピュータは、ターミナルアダプタ４１に、回線の切断を要求する。回線の切断を要求されたターミナルアダプタ４１は、親機１０との回線を切断する（Ｍ２０６）。
【００４１】
第２の実施例によれば、第１の実施例と同様の効果を得ることができる。
【００４２】
［第３の実施例］
図４は、本発明の第３の実施例であるコードレス電話装置における子機登録システムを動作させた場合に、サービスセンタ４０と親機１０、子機２１、２２、２３との間におけるメッセージ送受信のシーケンスを示す図である。
【００４３】
なお、第３の実施例であるコードレス電話装置における子機登録システムの構成は、コードレス電話装置における子機登録システム１００の構成と同様である。
【００４４】
第３の実施例において、子機登録を行う場合、保守用コンピュータ４２によって登録パラメータの設定と編集とを行う。保守用コンピュータの編集画面５１を使用して、子機の内線番号と暗証番号との編集を行なう。
【００４５】
登録パラメータの設定・編集が終わると、保守用コンピュータ４２は、ターミナルアダプタ４１に、親機１０への着信を要求する。着信を要求されたターミナルアダプタ４１は、電話回線網３０を介して、親機１０に着信（Ｍ２０１）を行う。着信を検出した親機１０は、電話回線網３０を介して、ターミナルアダプタ４１に応答する（Ｍ２０２）。応答を検出したターミナルアダプタ４１は、保守用コンピュータ４２に応答を通知し、親機１０と保守用コンピュータ４２との間でデータ通信できるモードヘ移行する。
【００４６】
操作者が子機登録開始を入力すると、子機２１の登録パラメータを含んだ「登録開始メッセージ」（Ｍ２０４）を親機１０に送信する。「登録開始メッセージ」（Ｍ２０４）を受信した親機１０は、登録用の報知信号（Ｍ２０７）を送信する。これと同時に、子機２１の操作者は、内線番号と暗証番号とについて、入力と登録との開始の入力を、子機２１に行う。登録用の報知信号（Ｍ２０７）を受信した子機２１は、「リンクチャネル確立要求メッセージ」（Ｍ２０８）を送信し、親機１０から「リンクチャネル割当メッセージ」（Ｍ２０９）を受信すると、「リンクチャネル割当メッセージ」（Ｍ２０９）で指定される通話チャネルに移行し、子機登録シーケンスを開始する。
【００４７】
子機２１から「リンクチャネル確立要求メッセージ」（Ｍ２０８）を受信した親機１０は、通話チャネルを指定した「リンクチャネル割当メッセージ」（Ｍ２０９）を子機に送信し、通話チャネルに移行し、子機登録シーケンスを開始する。
【００４８】
子機登録シーケンスでは、登録パラメータの送受信と照合とを行う。子機では、子機登録シーケンスが終了すると、子機の表示器に登録終了を表示する。親機１０は、子機登録シーケンスが終了すると、保守用コンピュータ４２に「登録終了メッセージ」（Ｍ２０５）を送信する。
【００４９】
次に、操作者が子機登録開始を入力すると、子機の登録パラメータを含んだ「登録開始メッセージ」（Ｍ２０４）を親機１０に送信する。
【００５０】
以上の動作を、登録子機数だけ繰り返し、全ての子機の登録が終了すると。保守用コンピュータ４２は、ターミナルアダプタ４１に回線の切断を要求する。
【００５１】
回線の切断を要求されたターミナルアダプタ４１は、親機１０との回線を切断（Ｍ２０６）する。
【００５２】
第３の実施例によれば、第１の実施例と同様の効果を得ることができる。
【００５３】
［第４の実施例］
図５は、本発明の第４の実施例であるコードレス電話装置における子機登録システムを動作させた場合に、サービスセンタ４０と親機１０、子機２１、２２、２３との間におけるメッセージ送受信のシーケンスを示す図である。
【００５４】
なお、第４の実施例であるコードレス電話装置における子機登録システムの構成は、コードレス電話装置における子機登録システム１００の構成と同様である。
【００５５】
第４の実施例において、子機登録を行う場合、保守用コンピュータ４２によって登録パラメータの設定と編集とを行う。
【００５６】
保守用コンピュータの編集画面５１を使用して、子機の内線番号と暗証番号とを編集する。
【００５７】
登録パラメータの設定・編集が終わると、保守用コンピュータ４２は、親機１０への着信を、ターミナルアダプタ４１に要求する。着信を要求されたターミナルアダプタ４１は、電話回線網３０を介して、親機１０に着信（Ｍ２０１）を行う。着信を検出した親機１０は、電話回線網３０を介して、ターミナルアダプタ４１に応答する（Ｍ２０２）。
【００５８】
応答を検出したターミナルアダプタ４１は、保守用コンピュータ４２に応答を通知し、親機１０と保守用コンピュータ４２との間でデータ通信できるモードヘ移行する。応答を通知された保守用コンピュータ４２は、子機の登録パラメータを含んだ「登録開始メッセージ」（Ｍ２０４）を親機１０に送信する。操作者が子機登録開始を入力すると、子機の登録パラメータを含んだ「登録開始メッセージ」（Ｍ２０４）を、親機１０に送信する。「登録開始メッセージ」（Ｍ２０４）を受信した親機１０は、登録用の報知信号（Ｍ２０７）を送信する。
【００５９】
これと同時に、子機の操作者は、内線番号と暗証番号とについて、入力と登録との開始の入力を、子機に行う。登録用の報知信号（Ｍ２０７）を受信した子機は、「リンクチャネル確立要求メッセージ」（Ｍ２０８）を送信し、親機１０から「リンクチャネル割当メッセージ」（Ｍ２０９）を受信すると、「リンクチャネル割当メッセージ」（Ｍ２０９）で指定される通話チャネルに移行し、子機登録シーケンスを開始する。
【００６０】
子機から「リンクチャネル確立要求メッセージ」（Ｍ２０８）を受信した親機１０は、子機に通話チャネルを指定した「リンクチャネル割当メッセージ」（Ｍ２０９）を送信し、通話チャネルに移行し、子機登録シーケンスを開始する。子機登録シーケンスでは、登録パラメータの送受信と照合とを行う。子機は、子機登録シーケンスが終了すると、子機の表示器に登録終了を表示する。親機１０は、子機登録シーケンスが終了すると、保守用コンピュータ４２に「登録終了メッセージ」（Ｍ２０５）を送信する。
【００６１】
「登録終了メッセージ」（Ｍ２０５）を受信した保守用コンピュータ４２は、子機の登録パラメータを含んだ「登録開始メッセージ」（Ｍ２０４）を親機１０に送信する。
【００６２】
以上の動作を、登録子機数だけ繰り返し、全ての子機の登録が終了すると、保守用コンピュータは、ターミナルアダプタ４１に回線の切断を要求する。回線の切断を要求されたターミナルアダプタ４１は、親機１０との回線を切断する（Ｍ２０６）。
【００６３】
第４の実施例によれば、第１の実施例と同様の効果を得ることができる。
【００６４】
［他の実施例］
図６は、本発明の第５の実施例であるコードレス電話装置における子機登録システム２００を示すブロック図である。
【００６５】
コードレス電話装置における子機登録システム２００は、基本的には、コードレス電話装置における子機登録システム１００と同じであるが、子機２１、２２、２３のそれぞれに、装置６１、６２、６３が接続されている点と、保守用コンピュータ４２が、装置６１、６２、６３の保守を行う点とが、コードレス電話装置における子機登録システム１００とは異なる。
【００６６】
【発明の効果】
本発明によれば、子機が親機へ無線接続するためのパラメータの入力手段、及び登録開始操作を行うための入力手段を例え親機が有していない場合であっても、親機に通信回線を介して接続された情報処理装置が上記パラメータの設定、親機に対する上記パラメータの送信、登録開始の通知を行うことにより、登録開始の操作が行われた子機に対して上記パラメータを送信することができる。
【図面の簡単な説明】
【図１】  本発明の第１の実施例であるコードレス電話装置における子機登録システム１００を示す構成図である。
【図２】  コードレス電話装置における子機登録システム１００において、登録データ作成装置としてのサービスセンタ４０と、親機１０、子機２１、２２、２３との間におけるメッセージ送受信のシーケンスを示す図である。
【図３】  本発明の第２の実施例であるコードレス電話装置における子機登録システムを動作させた場合に、サービスセンタ４０と親機１０、子機２２との間におけるメッセージ送受信のシーケンスを示す図である。
【図４】  本発明の第３の実施例であるコードレス電話装置における子機登録システムを動作させた場合に、サービスセンタ４０と親機１０、子機２１、２２、２３との間におけるメッセージ送受信のシーケンスを示す図である。
【図５】  本発明の第４の実施例であるコードレス電話装置における子機登録システムを動作させた場合に、サービスセンタ４０と親機１０、子機２１、２２、２３との間におけるメッセージ送受信のシーケンスを示す図である。
【図６】  本発明の第５の実施例であるコードレス電話装置における子機登録システム２００を示すブロック図である。
【図７】  ＰＨＳにおいて、親機１０と子機２１との間における従来のメッセージ送受信シーケンスの例を示す図である。
【符号の説明】
１００、２００…コードレス電話装置における子機登録システム、
１０…コードレス電話装置の親機、
２１、２２、２３…コードレス電話装置の子機、
３０…電話回線網、
４０…登録データ作成装置としてのサービスセンタ、
４１…ターミナルアダプタ、
４２…保守用コンピュータ。
【図１】
0004502350.tif 000002
【図２】
0004502350.tif 000003
【図３】
0004502350.tif 000004
【図４】
0004502350.tif 000005
【図５】
0004502350.tif 000006
【図６】
0004502350.tif 000007
【図７】
0004502350.tif 000008